(57)【特許請求の範囲】
【請求項１】
ワイヤハーネスに外装したコルゲートチューブを挿入口側で位置決め保持するプロテクタであり、
底壁と両側壁とを有する本体と、該本体の上面開口にかぶせる蓋とを別体として備え、
前記本体と蓋の長さ方向の両側に互いに結合できるロック部を設けると共に、蓋のロック部の位置は蓋を１８０度回転しても本体のロック部と結合できる対称位置に設け、
かつ、前記本体の長さ方向の一端側の前記底壁から両側壁の内面にかけて大径コルゲートチューブの谷部に嵌合するリブを設けたコルゲートチューブ嵌合部を設ける一方、
前記蓋の長さ方向の一端側の内面に大径コルゲートチューブの谷部に嵌合するリブを設けた大径コルゲートチューブ嵌合部を設けると共に、他端側の内面に小径コルゲートチューブの谷部に嵌合するリブを設けた小径コルゲートチューブ嵌合部を設け、
前記本体および蓋の両側のコルゲートチューブ嵌合部のリブは同一ピッチで複数本設け、挿通するコルゲートチューブの外径に応じて前記蓋を１８０度回転させて本体に結合する構成としていることを特徴とするプロテクタ。
【請求項２】
前記プロテクタで外装するワイヤハーネスは、前記プロテクタの一端側では前記コルゲートチューブを通しているが、他端側はコルゲートチューブに通さずにバンドクリップで前記ワイヤハーネスを結束し、前記プロテクタの本体の底壁にバンドクリップ用凹部を設け、該凹部の中心にクリップ係止穴を設けている請求項１に記載のプロテクタ。
【請求項３】
前記本体の幅方向の中間に仕切壁を長さ方向に設け、該仕切壁で区切られた一方側をワイヤハーネス挿通路とし、該ワイヤハーネス挿通路の一端側の内面に前記リブを設けてコルゲートチューブ嵌合部とする一方、仕切壁を挟む他方側はスプライス部収容部とし、前記蓋の幅は前記本体の幅と対応させ、前記大径コルゲートチューブ嵌合部と小径コルゲートチューブ嵌合部は対角位置に設けている請求項１または請求項２に記載のプロテクタ。
【発明の詳細な説明】
【技術分野】
【０００１】
本発明はワイヤハーネス用プロテクタに関し、詳しくは、ワイヤハーネスに外装したコルゲートチューブの先端を位置決め保持するプロテクタにおいて、コルゲートチューブの外径が相違しても共用化できるようにするものである。
【背景技術】
【０００２】
自動車等の車両に配索されるワイヤハーネスは、配索経路をガイドすると共に外部材との干渉を防止してワイヤハーネスの保護を図る必要がある領域には、樹脂成形品からなるプロテクタにワイヤハーネスを挿通している。
また、該ワイヤハーネスにプロテクタを外装していない箇所では、環状の山部と谷部とを軸線方向に交互に設けたコルゲートチューブにワイヤハーネスを挿通し、屈曲および伸縮可能にワイヤハーネスをコルゲートチューブで外装している。
【０００３】
前記コルゲートチューブで外装したワイヤハーネスをプロテクタで連続的に外装する場合、プロテクタ外装領域が短い場合やプロテクタ外装部分から枝線の分岐が無い場合には、プロテクタの全長にコルゲートチューブを装着したままでワイヤハーネスを挿通する場合もある。また、ワイヤハーネスに外装したコルゲートチューブの先端部分をプロテクタ内に挿入し、プロテクタ内にはコルゲートチューブなしでワイヤハーネスを挿通している場合が多い。
【０００４】
いずれの場合も、プロテクタ内でコルゲートチューブを位置ずれすることなく保持する必要があり、従来、図８に示すように、プロテクタの本体１００と蓋（図示せず）の先端開口側の内周面に、コルゲートチューブ１１０の谷部１１１に嵌合する円弧状のリブ１１５を軸線方向に複数本突設している。  
車両の仕向地やグレードによりワイヤハーネスを構成する電線総数が異なるとワイヤハーネス外径が相違し、ワイヤハーネスに外装するコルゲートチューブ１１０の径も相違する。サイズが相違するとコルゲートチューブの谷部の外径も相違し、プロテクタに設けるリブ１１５が大径サイズ用であれば、小径サイズのコルゲートチューブの谷部の径に嵌合せず、コルゲートチューブを確実に保持できない。よって、コルゲートチューブのサイズ毎にプロテクタを設ける必要があり、部品点数が多くなり、製造コストが高くなる問題がある。
【０００５】
前記問題に鑑みて、本出願人は特開２００６−７４８４４号公報で、サイズが大小相違するコルゲートチューブに共用できるプロテクタを提供している。該プロテクタは図９および図１０に示すように、プロテクタ１００の本体１０１は共用とする一方、蓋は大径蓋１０２Ａと小径蓋１０２Ｂとを設け、本体１０１の内周面に突設してコルゲートチューブ谷部に嵌合するリブ１０４は大径サイズのコルゲートチューブＣＴ−Ｌに合わせ、大径蓋１０２Ａに設けるリブは大径サイズのコルゲートチューブに合わせ、小径蓋１０２Ｂのリブは小径サイズのコルゲートチューブＣＴ−Ｓに合わせている。  
【先行技術文献】
【特許文献】
【０００６】
【特許文献１】特開２００６−７４８４４号公報
【発明の概要】
【発明が解決しようとする課題】
【０００７】
前記図９、１０に示すプロテクタでは、本体１０１は１つで共用化することができるが、蓋は図９と図１０に示すように、コルゲートチューブのサイズ毎に必要となる。よって、コルゲートチューブのサイズが２種類あれば、２種類の蓋が必要となり、サイズが４種類あれば、４種類の蓋が必要となる。よって、本体のみが共用化でき、蓋はサイズ毎に必要であるため、蓋もコルゲートチューブのサイズが相違しても出来るだけ共用可能とすることが望まれている。
【０００８】
本発明は前記問題に鑑みてなされたもので、内嵌して位置決め保持するコルゲートチューブのサイズが相違しても、プロテクタの蓋の共用化も出来るだけ図れるようにし、部品点数の削減、それに伴う製造コストの低下を図ることを課題としている。  
【課題を解決するための手段】
【０００９】
前記課題を解決するため、本発明は、ワイヤハーネスに外装したコルゲートチューブを挿入口側で位置決め保持するプロテクタであり、
底壁と両側壁とを有する本体と、該本体の上面開口にかぶせる蓋とを別体として備え、
前記本体と蓋の長さ方向の両側に互いに結合できるロック部を設けると共に、蓋のロック部の位置は蓋を１８０度回転しても本体のロック部と結合できる対称位置に設け、
かつ、前記本体の長さ方向の一端側の前記底壁から両側壁の内面にかけて大径コルゲートチューブの谷部に嵌合するリブを設けたコルゲートチューブ嵌合部を設ける一方、
前記蓋の長さ方向の一端側の内面に大径コルゲートチューブの谷部に嵌合するリブを設けた大径コルゲートチューブ嵌合部を設けると共に、他端側の内面に小径コルゲートチューブの谷部に嵌合するリブを設けた小径コルゲートチューブ嵌合部を設け、
前記本体および蓋の両側のコルゲートチューブ嵌合部のリブは同一ピッチで複数本設け、挿通する前記コルゲートチューブの外径に応じて前記蓋を１８０度回転させて本体に結合する構成としていることを特徴とするプロテクタを提供している。
【００１０】
前記大径コルゲートチューブ用のリブは、円弧状に突出するリブの円弧の外径を大きくすると共にリブの突出量を低くしている。一方、小径コルゲートチューブ用のリブは、円弧の外径を小さくすると共にリブの突出量を高くしている。
コルゲートチューブは外径が大小と相違しても、山谷のピッチは通常一定とされている。よって、前記のようにリブの径と高さを相違させると、大小サイズのコルゲートチューブにそれぞれ正確に嵌合させることができる。
【００１１】
前記のように、プロテクタの本体には、特許文献１と同様に大径コルゲートチューブの谷部に嵌合するリブを突設する一方、蓋は長さ方向の一端側に大径コルゲートチューブ用のリブを突設し、長さ方向の他端側に小径コルゲートチューブ用のリブを突設している。よって、ワイヤハーネスに外装してプロテクタの一端側に挿入するコルゲートチューブが大径コルゲートチューブであれば、本体のコルゲートチューブ嵌合用のリブを突設している側に蓋の大径コルゲートチューブ用のリブを対向して位置させる。それにより、プロテクタの一端開口から挿入される大径コルゲートチューブの端部の下半周の谷部に本体のリブを挿入し、上半周の谷部に蓋のリブを挿入して、大径コルゲートチューブをプロテクタ内に位置決め保持している。
一方、小径コルゲートチューブをワイヤハーネスに外装している場合、本体のコルゲートチューブ嵌合用のリブを突設している側に蓋の小径コルゲートチューブ用のリブを対向して位置させる。それにより、プロテクタの一端開口から挿入される小径コルゲートチューブの端部の下半周の谷部の中央部分に本体のリブを挿入し、上半周の谷部に蓋のリブを正確に挿入して、小径コルゲートチューブをプロテクタ内に位置決め保持している。
よって、サイズが大小２種類相違した場合、蓋も共用化でき、プロテクタを１種類もうければよい。サイズが大小４種類相違した場合、本体は１つでよいと共に、蓋は２種類でよく、部品点数を大幅に削減できる。
【００１２】
本発明のプロテクタで外装するワイヤハーネスは、前記プロテクタの一端側では前記コルゲートチューブを通しているが、他端側はコルゲートチューブに通さずにバンドクリップで前記ワイヤハーネスを結束し、前記プロテクタの本体の底壁にバンドクリップ用凹部を設け、該凹部の中心にクリップ係止穴を設ける。
【００１３】
前記のように、ワイヤハーネスに外装するコルゲートチューブはプロテクタの一端側、具体的には入口から複数ピッチ部分であり、このプロテクタ挿入部分のコルゲートチューブを前記本体と蓋のリブで位置決め保持している。プロテクタの他端側、具体的には出口から少なくともプロテクタの長さ方向の中心位置までの部分であり、この部分ではプロテクタ内に挿通するワイヤハーネスにコルゲートチューブを通しておらず、電線群はバラバラの状態であるため、バンドクリップのバンドを巻き付けて結束し、該バンドと一体に設けた係止用のクリップをプロテクタの本体の底壁に設けたクリップ係止穴に挿入係止している。これにより、プロテクタの他端側の出口から引き出されるワイヤハーネスを結束しておくことができる。また、バンドクリップを用いてワイヤハーネスの電線群を結束すると、バンド係止部分の本体を前記バンドクリップ用凹部に嵌合することで、バンドクリップで結束されたワイヤハーネスが蓋側に突出しないようにして、蓋を無理なく本体にロック結合できるようにしている。
【００１４】
また、本発明のプロテクタでは、本体の幅方向の中間に仕切壁を長さ方向に設け、該仕切壁で区切られた一方側をワイヤハーネス挿通路とし、該ワイヤハーネス挿通路の一端側の内面に前記リブを設けてコルゲートチューブ嵌合部とする一方、仕切壁を挟む他方側はスプライス部収容部とし、前記蓋の幅は前記本体の幅と対応させ、前記大径コルゲートチューブ嵌合部と小径コルゲートチューブ嵌合部は対角位置に設けてもよい。
【００１５】
前記のように、プロテクタに通すワイヤハーネスにスプライス部がある場合、プロテクタへの挿通前にスプライス部を有する枝線を分岐し、スプライス部をプロテクタに設けたスプライス部収容部に収容している。よって、本体の幅が広くなるため、本体にロック結合する蓋も幅広とし、前記大径コルゲートチューブ用のリブと小径コルゲートチューブ用のリブとを対角位置に設け、蓋を１８０度回転した状態で、本体のリブと対向する上面位置に蓋側リブが位置するようにしている。
【発明の効果】
【００１６】
前記のように、本発明に係わるプロテクタは、本体と別体として設けた蓋の長さ方向の一側に大径コルゲートチューブを係止するリブ、他側に小径コルゲートチューブを係止するリブを設けているため、蓋を１８０度回転させるだけで、径が大小２種類相違するコルゲートチューブに対してプロテクタの本体および蓋とも１個で共用化することができる。このように、コルゲートチューブのサイズが相違してもプロテクタを共用化できるため、部品点数の大幅削減を図ることができ、製造コストを低減することができる。
【図面の簡単な説明】
【００１７】
【図１】本発明の第１実施形態を示し、（Ａ）はワイヤハーネスをプロテクタ本体と蓋との間に挿通している状態の斜視図、（Ｂ）は（Ａ）の蓋を除いた状態の斜視図である。
【図２】前記プロテクタを示し、（Ａ）は本体を上方から見た斜視図、（Ｂ）は蓋を下方から見た斜視図である。
【図３】前記プロテクタの本体と蓋とを組みつけた状態を示し、（Ａ）は左側面図、（Ｂ）は右側面図である。
【図４】（Ａ）はプロテクタの本体内にワイヤハーネスを通している状態の垂直断面図、（Ｂ）はバンドクリップをワイヤハーネスに取り付けた状態の断面図である。
【図５】前記プロテクタに挿通するワイヤハーネスを示す図面である。
【図６】（Ａ）はワイヤハーネスに大径コルゲートチューブを外嵌してプロテクタに挿通している状態を示す平面図、（Ｂ）はワイヤハーネスに小径コルゲートチューブを外嵌してプロテクタに挿通している状態を示す平面図である。
【図７】第２実施形態のプロテクタを示し、（Ａ）は本体の概略平面図、（Ｂ）は蓋の概略底面図である。
【図８】従来例を示す斜視図である。
【図９】（Ａ）（Ｂ）は他の従来例のプロテクタで、大径コルゲートチューブを挿通する場合を示す図面である。
【図１０】（Ａ）（Ｂ）は前記図９のプロテクタで、小径コルゲートチューブを挿通する場合を示す図面である。
【発明を実施するための形態】
【００１８】
以下、本発明の実施形態を図面を参照して説明する。
図１乃至図面６に第１実施形態を示す。
自動車に配索するワイヤハーネス１の所要領域を樹脂成形品からなるプロテクタ２に通している。該プロテクタ２の長さ方向の一端側開口である入口２ａに挿入するワイヤハーネス１はコルゲートチューブ３（図６に示す大径コルゲートチューブ３Ｌまたは小径コルゲートチューブ３Ｓ）に通しており、該コルゲートチューブ３の先端部分３ａをプロテクタ２の入口２ａ側に内嵌係止している。プロテクタ２の内部でワイヤハーネス１はコルゲートチューブの先端部分３ａから引き出し、プロテクタ２の長さ方向の中間位置から他端側開口である出口２ｂまでの間でワイヤハーネス１をバンドクリップ５で結束して、出口２ｂからワイヤハーネス１を引き出している。
【００１９】
図２に示すように、プロテクタ２は本体１０と蓋１１とからなる。図２（Ａ）に示す本体１０は底壁１２と、底壁１２の幅方向両端から突出する両側壁１３Ａ、１３Ｂと、中間の仕切壁１４を備え、側壁１３Ｂの外面から他部材への固定用のブラケット１５を突設し、該ブラケット１５に係止クリップ１６およびロック部１７を設けている。
前記側壁１３Ａと仕切壁１４の間をワイヤハーネス挿通路１８とし、該ワイヤハーネス挿通路１８の長さ方向一端側は前記入口２ａとなり、他端側は出口２ｂとなる。
仕切壁１４と側壁１３Ｂの間をスプライス収容部１９とし、一端側は閉鎖壁１９ａを設け、他端側はスプライス部挿入用の開口１９ｂとしている。
前記ワイヤハーネス挿通路１８の幅はスプライス収容部１９の幅の２倍以上と広く設定している。
【００２０】
前記ワイヤハーネス挿通路１８の入口２ａ側には、底壁１２、側壁１３Ａ、仕切壁１４の内面に、前記側壁１３Ａと仕切壁１４の上端にかけてＵ字状のリブ２１を軸線方向に４本突設したコルゲートチューブ嵌合部２０を設けている。該リブ２１は大径コルゲートチューブ３Ｌの谷部４５に丁度嵌合する径を有する円弧形状で且つ突出高さを比較的低くしている。コルゲートチューブ３は径が相違しても谷部と山部のピッチは略同一である。よって、大径コルゲートチューブ３Ｌの谷部４５と山部４６と、小径コルゲートチューブ３Ｓの谷部４０と山部４１のピッチは同一ピッチで、前記本体１０に設けるリブ２１のピッチも同一の一定ピッチＰとしている。
【００２１】
ワイヤハーネス挿通路１８の出口２ｂと長さ方向の中央位置との間には、底壁１２に大円形のクリップ係止用の下方突出部２２を設け、底壁１２より窪んだ凹部２２ａを設け、該凹部２２ａの中央にクリップ係止穴２３を穿設している。
【００２２】
前記のように、プロテクタ２内の出口２ｂ側のワイヤハーネス１はバンドクリップ５で電線群Ｗを結束している。該バンドクリップ５は、図４（Ｂ）に示すように、電線群Ｗに巻き付けるバンド５ａと、該バンド５ａを突設すると共にバンド貫通穴を設けた本体５ｂと、本体５ｂの下面から突設した羽根状係止部５ｃ（クリップ）とを一体的に設けた樹脂成形品からなる。バンド５ａを電線群Ｗに巻き付けた後、本体５ｂの貫通穴５ｂ１に挿通し、バンド５ａに設けた係止溝５ａ１に貫通穴５ｂ１に内面から突設した係止片５ｂ２を係止して電線群Ｗを締付固定している。羽根状係止部５ｃは本体５ｂから突設した皿部５ｃ４の中心から支軸部５ｃ１を突設し、該支軸部５ｃ１の先端部から折り返し状に設けた羽根部５ｃ２の先端に係止段部５ｃ３を設け、羽根状係止部５ｃをクリップ係止穴２３に挿入した後に係止段部５ｃ３をクリップ係止穴２３の周縁に係止して固定している。
【００２３】
前記バンドクリップ５をワイヤハーネス１に取り付けると、バンドクリップ５の本体５ｂの高さ分だけプロテクタ本体の底壁１２から突出するため、蓋１１側に対向するワイヤハーネス１の上面が高くなり、ワイヤハーネス１の外径が大きい場合には蓋１１で閉鎖できにくくなる。よって、バンドクリップの本体５ｂを底壁１２に設けた下方突出部２２内に挿入することで、ワイヤハーネス１の上面高さを低減している。
【００２４】
前記プロテクタ２の本体１０の両側壁１３Ａ、１３Ｂの外面の長さ方向の両端に、蓋１１をロック結合するロック枠２５を設けている。すなわち、本体１０の４隅にロック枠２５を突設している。
【００２５】
プロテクタ２の蓋１１は本体１０と同一幅の広幅とし、本体１０のワイヤハーネス挿通路１８とスプライス部収容部１９の両方を上壁３０で閉鎖できるものとしている。該上壁３０の幅方向の両側縁に低い側壁３１を設け、該両側壁３１の長さ方向の両側に前記ロック枠２５に挿入係止するロック片２６を突設している。この蓋１１のロック片２６と本体１０のロック枠２５とは、図２（Ｂ）に示すように、蓋１１を１８０度回転させても互いに係止できる位置に設けている。
【００２６】
プロテクタ２の蓋１１の上壁３０の下面には、長さ方向の両側で且つ対角位置に、大径コルゲートチューブ嵌合部３３と小径コルゲートチューブ嵌合部３５を突設している。
大径コルゲートチューブ嵌合部３３は大径コルゲートチューブ３Ｌの谷部４５に嵌合する径と高さを有する円弧形状の４本のリブ３４からなる。小径コルゲートチューブ嵌合部３５は小径コルゲートチューブ３Ｓの谷部４０に嵌合する径と高さを有する円弧形状の４本のリブ３６からなる。
【００２７】
本体１０と蓋１１とを前記形状としたプロテクタ２への図５に示すワイヤハーネス１の組みつけについて以下に説明する。
なお、プロテクタ２に通すワイヤハーネス１にはスプライス部３８を有する枝線１ｓが幹線から分岐している。また、ワイヤハーネス１を所定位置で予めバンドクリップ５で結束している。
【００２８】
図６（Ａ）に示すように、プロテクタ２の入口２ａに挿入するワイヤハーネス１に外装しているコルゲートチューブが大径コルゲートチューブ３Ｌの場合、まず、本体１０のリブ２１を谷部４５に挿入して、位置決めする。
また、ワイヤハーネス１に締結しているバンドクリップ５の羽根状係止部５ｃをクリップ係止穴２３に挿入係止する。
ついで、蓋１１は大径コルゲートチューブ嵌合部３３を本体１０の入口２ａ側とし、本体１０のコルゲートチューブ嵌合部２０の上方に位置させ、リブ３４を大径コルゲートチューブ３Ｌの上面側に挿入する。
これにより、大径コルゲートチューブ３Ｌの谷部４５には上下ともリブ３４、２１が挿入され、軸線方向の移動が阻止された状態で本体１０と蓋１１の間に位置決め保持できる。この状態で本体１０のロック枠２５に蓋１１のロック片２６を挿入係止して本体１０と蓋１１とを固定する。
また、ワイヤハーネス１から分岐したスプライス部３８を有する枝線１ｓをワイヤハーネス１の幹線から分岐してスプライス部３８をスプライス部収容部１９に挿入している。
【００２９】
図６（Ｂ）に示すように、ワイヤハーネス１に外装しているコルゲートチューブが小径コルゲートチューブ３Ｓの場合、本体１０のコルゲートチューブ嵌合部２０のリブ２１を小径コルゲートチューブ３Ｓの谷部４０に挿入している。その際、リブ２１の中央部の底壁１２からの突出部分は小径コルゲートチューブ３Ｓの谷部４０に挿入されるが、リブ２１の両側部の上端側は谷部４０から外れることになる。該ワイヤハーネス１に予め締結しているバンドクリップ５は底壁１２のクリップ係止穴２３に挿入係止する。
【００３０】
ついで、蓋１１は小径コルゲートチューブ嵌合部３５を入口２ａ側に位置させて本体１０のコルゲートチューブ嵌合部２０の上方に対向配置する。すなわち、大径コルゲートチューブの場合と１８０度回転させて蓋１１を本体１０に組みつける。  
蓋１１の小径コルゲートチューブ嵌合部３５のリブ３６は小径コルゲートチューブ３Ｓの谷部４０の上面側に正確に挿入する。このように、小径コルゲートチューブ３Ｓの上面側の谷部４０にリブ３６が挿入して下方へ押圧することで、本体１０側のリブ２１は谷部４０に位置ずれすることなく嵌合し、小径コルゲートチューブ３Ｓをプロテクタ２内に位置決め保持できる。
その後、蓋１１のロック片２６を本体１０のロック枠２５に挿入係止してロック結合する。該ロック片２６とロック枠２５とは、ロック片２６が１８０度回転した位置でもロック枠２５に挿入係止できる位置に設けているため、無理なくロック結合できる。
【００３１】
なお、本実施形態では、大径コルゲートチューブ３Ｌはφ３２ｍｍであり、小径コルゲートチューブ３Ｓはφ２８ｍｍである。
【００３２】
前記のように、本発明の前記実施形態では、ワイヤハーネスを通すコルゲートチューブのサイズが大小相違していても、同一の本体１０と蓋１１とからなる１種類のプロテクタ２を共用で用いることができる。よって、ワイヤハーネスの径の相違に基づいてプロテクタの種類を増加させる必要はない。
【００３３】
図７に第２実施形態を示す。
第２実施形態のプロテクタはスプライス収容部を設けておらず、本体１０にワイヤハーネス挿通路１８のみを設け、本体１０は比較的長い樋形状としている。蓋１１は本体１０に対応した長方形状で、対角位置ではなく、長さ方向で対向する両側に大径コルゲートチューブ嵌合部３３と小径コルゲートチューブ嵌合部３５を設けている。
他の構成は第１実施形態と同様であるため、同一符号を付して説明を省略する。
【００３４】
また、φ２４、２８、３２、３６の４種類のコルゲートチューブがワイヤハーネス径に応じて使い分けられる場合は、φ２４と２８用のコルゲートチューブ嵌合部を両側に設けた蓋と、φ３２と３６用のコルゲートチューブ嵌合部を両側に設けた蓋との２種類の蓋を設ければよい。
【００３５】
また、プロテクタ内に挿通するワイヤハーネスをバンドクリップで締結し、該バンドクリップのクリップを本体底壁に設けた係止穴に係止することは必須ではなく、プロテクタの出口から引き出したワイヤハーネスを出口に設けたテープ巻き片にテープ巻き固着してもよい。
さらに、ワイヤハーネスを締結するバンドクリップに変えて、基板にワイヤハーネスをテープ巻き固定する基板型クリップを用いてもよい。
【符号の説明】
【００３６】
１  ワイヤハーネス
２  プロテクタ
２ａ  入口
２ｂ  出口
３  コルゲートチューブ
３Ｌ  大径コルゲートチューブ
３Ｓ  小径コルゲートチューブ
５  バンドクリップ
１０  本体
１１  蓋
１２  底壁
１３Ａ、１３Ｂ  両側壁
１４  仕切壁
１８  ワイヤハーネス挿通路
１９  スプライス部収容部
２０  コルゲートチューブ嵌合部
２１  リブ
２３  クリップ係止穴
３０  上壁
３３  大径コルゲートチューブ嵌合部
３５  小径コルゲートチューブ嵌合部
３４、３６  リブ
【図１】
0005353908.tif 000002
【図２】
0005353908.tif 000003
【図３】
0005353908.tif 000004
【図４】
0005353908.tif 000005
【図５】
0005353908.tif 000006
【図６】
0005353908.tif 000007
【図７】
0005353908.tif 000008
【図８】
0005353908.tif 000009
【図９】
0005353908.tif 000010
【図１０】
0005353908.tif 000011